(57)【要約】【課題】画像表示手段の前側の透明板に大きな力が加えられた場合でも画像表示手段側への悪影響を最小限に抑えることが可能な遊技機を提供する。【解決手段】画像表示手段１３の表示画面１３ａの直前に透明板３３を配置した遊技機で、表示画面１３ａと透明板３３との間に所定の隙間Ｇを保持するスペーサ部材３２を備えたものである。【選択図】図７
2008017910.tif 000002
【特許請求の範囲】
【請求項１】
画像表示手段（１３）の表示画面（１３ａ）の直前に透明板（３３）を配置した遊技機において、前記表示画面（１３ａ）と前記透明板（３３）との間に所定の隙間（Ｇ）を保持するスペーサ部材（３２）を備えたことを特徴とする遊技機。
【請求項２】
前記スペーサ部材（３２）は、前記表示画面（１３ａ）と前記透明板（３３）との間に配置される隙間保持部（４３）を前記透明板（３３）の外周に沿って間欠的又は連続的に備えた枠型に形成されていることを特徴とする請求項１に記載の遊技機。
【請求項３】
前記スペーサ部材（３２）に、前記透明板（３３）に係脱自在に係合する係合手段（４４）を設けたことを特徴とする請求項１又は２に記載の遊技機。
【請求項４】
前記画像表示手段（１３）は、表示窓（１２）が形成された表示装着枠（３１）の後側に着脱自在に装着され、前記透明板（３３）は、前記スペーサ部材（３２）と共に前記画像表示手段（１３）と前記表示装着枠（３１）との間に挟持されるように構成されていることを特徴とする請求項１〜３の何れかに記載の遊技機。
【請求項５】
前記スペーサ部材（３２）を、表示窓（１２）が形成された表示装着枠（３１）の後側に着脱自在に固定したことを特徴とする請求項１〜３の何れかに記載の遊技機。
【発明の詳細な説明】
【技術分野】
【０００１】
本発明は、画像表示手段の表示画面の前側に透明板を配置した遊技機に関するものである。
【背景技術】
【０００２】
スロットマシン等の遊技機においては、演出用の画像表示手段として例えば液晶表示手段を搭載したものが主流となっているが、この種の遊技機では、液晶表示手段の表示画面を保護するため、その表示画面の前側に、合成樹脂等よりなる透明板を略隙間無く配置したものが多い（特許文献１参照）。
【特許文献１】特開２００５−１８１４０３号公報
【発明の開示】
【発明が解決しようとする課題】
【０００３】
ところが、このように液晶表示手段の前側に透明板が隙間無く配置されている場合、例えば透明板に前側から大きな衝撃が加えられると、その衝撃が直接的に表示画面に伝わって液晶表示手段の破損や故障の原因となる場合があった。
【０００４】
また、瞬間的な衝撃でなくても、例えば大きな荷重がゆっくりと加えられた場合でも、透明板が変形して液晶表示手段の表示状態に悪影響を及ぼす可能性があった。
【０００５】
本発明は、このような従来の問題点に鑑み、画像表示手段の前側の透明板に大きな力が加えられた場合でも画像表示手段側への悪影響を最小限に抑えることが可能な遊技機を提供することを目的とする。
【課題を解決するための手段】
【０００６】
本発明は、画像表示手段１３の表示画面１３ａの直前に透明板３３を配置した遊技機において、前記表示画面１３ａと前記透明板３３との間に所定の隙間Ｇを保持するスペーサ部材３２を備えたものである。
【発明の効果】
【０００７】
本発明によれば、透明板３３に前側から大きな力が加えられた場合でも、その力は隙間Ｇによって緩和されるため、液晶表示ユニット１３への悪影響を最小限に抑えることが可能である。
【発明を実施するための最良の形態】
【０００８】
以下、本発明の実施形態を図面に基づいて詳述する。図１〜図９は、本発明をスロットマシンとして具現化した一実施形態を例示している。図１及び図２において、１は遊技機本体で、本体ケース２と、この本体ケース２の前側に配置された矩形状の前面パネル３とを備えている。
【０００９】
本体ケース２は、例えば木製で、前側が開放した箱形に形成されており、その前側を開閉自在に閉鎖するように前面パネル３が装着されている。
【００１０】
本体ケース２内には、図２に示すように、複数の図柄表示リール４ａ〜４ｃを左右方向に配列した表示リールユニット５、メダル払い出し装置６、主制御基板が収容された主制御基板ケース７等が配置されている。
【００１１】
前面パネル３は、左右一端側、例えば向かって左側に配置されたヒンジを介して本体ケース２に対して開閉自在に装着されており、図１に示すように、その上部側には第１表示窓１１と第２表示窓１２とが上下に配置されている。
【００１２】
第１表示窓１１は、本体ケース２側の図柄表示リール４ａ〜４ｃに対応して矩形状に形成されており、遊技者はこの第１表示窓１１を介して図柄表示リール４ａ〜４ｃを前側から視認可能となっている。
【００１３】
また、第２表示窓１２は、前面パネル３の裏側に装着された液晶表示ユニット（画像表示手段）１３（図２）の表示画面１３ａに対応して例えば第１表示窓１１よりも大型の矩形状に形成されており、遊技者はこの第２表示窓１２を介して表示画面１３ａを前側から視認可能となっている。
【００１４】
前面パネル３の下端部前側には、メダル払い出し装置６から払い出されたメダルや返却されたメダルを前側に排出するための排出口１４が設けられ、その前側に、排出口１４から排出されたメダルを受けるメダル受け皿１５が横長状に配置されている。
【００１５】
また、例えば第２表示窓１２の下側に横長状に設けられた操作パネル部２１には、遊技媒体としてのメダルを投入可能なメダル投入口２２、このメダル投入口２２内に詰まったメダルを返却させるための返却ボタン２２ａの他、メダル投入口２２へのメダル投入に代えてクレジットからメダルをベットするための１ベットボタン２３、マックスベットボタン２４及びキャンセルボタン２５、図柄表示リール４ａ〜４ｃの回転を開始させるためのスタートレバー２６、回転中の図柄表示リール４ａ〜４ｃを夫々個別に停止させるためのストップボタン２７ａ〜２７ｃ等が設けられている。
【００１６】
前面パネル３には、図４，図７等に示すように、第２表示窓１２を構成する矩形状の表示装着枠３１が例えば一体に設けられており、この表示装着枠３１の後側に、透明板保持枠（スペーサ部材）３２に装着された透明板３３と、液晶装着ケース３４に装着された液晶表示ユニット１３とが配置されている。
【００１７】
更に、液晶表示ユニット１３の後側には、図７等に示すように、液晶表示制御基板３５を格納する液晶表示制御基板ケース３６と、演出制御基板３７を格納する演出制御基板ケース３８とが重ねて装着されている。
【００１８】
表示装着枠３１には、その後部側に、内周側（第２表示窓１２）から外側所定幅の範囲に前向き凹入状の透明板装着部３９が設けられると共に、その外側に液晶装着ケース３４をネジ止めするための固定基部４０が複数設けられている。
【００１９】
透明板３３は、第２表示窓１２よりも若干大きい矩形状に形成されており、図４，図６等に示すように、その外縁部に沿って透明板保持枠３２を装着した状態で透明板装着部３９に後側から嵌め込まれている。
【００２０】
透明板保持枠３２は、図４，図６〜図８に示すように、透明板３３の外周面に沿う周壁４２と、その周壁４２の後端側から透明板３３の背面側に沿って延設された所定幅の後壁（隙間保持部）４３とを一体に備えた断面Ｌ型に形成され、更に周壁４２上には透明板３３の前縁側に係脱自在に係合して透明板３３を保持する係合爪（係合手段）４４が複数設けられており、透明板３３に装着した状態で透明板装着部３９に嵌め込まれたとき、後壁４３の背面４３ａが表示装着枠３１の後端側と略面一となるように構成されている。
【００２１】
なお、透明板３３と透明板保持枠３２とが嵌め込まれた透明板装着部３９は、図７，図８に示すように、その後側に装着される液晶表示ユニット１３の前面側によりその後側が閉鎖され、これによって透明板３３及び透明板保持枠３２は透明板装着部３９内に保持される。このとき、透明板保持枠３２は、その後壁４３の背面４３ａが液晶表示ユニット１３の前面側の周辺部近傍に略当接した状態となる。
【００２２】
従って、透明板保持枠３２と液晶表示ユニット１３の表示画面１３ａとの間には、透明板保持枠３２の後壁４３の板厚分の隙間Ｇ（例えば３ｍｍ程度）が形成される。これにより、例えば透明板３３に前側から衝撃が加えられたとしても、その衝撃は隙間Ｇによって緩和されるため、表示画面１３ａをその衝撃から保護することができる。
【００２３】
液晶表示ユニット１３は、図４，図６〜図９に示すように、前面側に表示画面１３ａが設けられた液晶本体部４５と、この液晶本体部４５の背面側に設けられた液晶制御部４６とを備えている。液晶本体部４５には、例えばその左右両縁部に汎用の固定部４７，４８が例えば夫々複数設けられている。
【００２４】
固定部４７，４８は、夫々内向きの凹入部４９と、その凹入部４９内に張り出すように前部側に設けられた薄板状の固定板５０とを備えており、この固定板５０にネジ止め用の切欠４７ａ又は孔４８ａが形成されている。
【００２５】
液晶装着ケース３４は、液晶表示ユニット１３を表示装着枠３１に固定するもので、図３〜図９に示すように、液晶表示ユニット１３が前側から嵌め込まれるケース体５１と、このケース体５１を表示装着枠３１側の固定基部４０に固定するための固定部５２と、液晶表示ユニット１３をケース体５１内に保持するための保持手段５３とを例えば一体に備えている。
【００２６】
ケース体５１は、液晶表示ユニット１３の外周面に沿う周壁５４と、液晶表示ユニット１３の背面に沿う後壁５５とで前側が開放した扁平状の箱形に形成されており、液晶表示ユニット１３の表示画面１３ａ以外の部分を略覆うようになっている。
【００２７】
固定部５２は、例えばケース体５１の周壁５４から外向き突出状に設けられており、ネジ等の固定具により表示装着枠３１側の固定基部４０に着脱自在に固定されるようになっている。
【００２８】
保持手段５３は、液晶表示ユニット１３側の固定部４７に対応する係合板５３ａと、固定部４８に対応する固定基部５３ｂとで構成されている。
【００２９】
係合板５３ａは、固定部４７の固定板５０の前側に係合するように、周壁５４の前縁側から内向きに突設されている。また、固定基部５３ｂは、固定部４８の固定板５０の後側に対応するように例えば後壁５５から周壁５４に沿って前向きに突設されている。
【００３０】
液晶表示ユニット１３は、図８及び図９に示すように、その左右方向一端側の固定部４７を液晶装着ケース３４側の係合板５３ａと後壁５５との間に差し込み、更に左右方向他端側を液晶装着ケース３４内に前側から嵌め込んで、固定部４８を固定基部５３ｂに対してネジ止めすることにより、液晶装着ケース３４内に着脱自在に装着されている。
【００３１】
また、液晶装着ケース３４の後壁５５には、後ろ向きの膨出部５６が例えば一体に形成されており、液晶表示ユニット１３を装着したとき、液晶表示ユニット１３側の液晶制御部４６がこの膨出部５６内に収まるようになっている。
【００３２】
更にこの膨出部５６は、その背面側が液晶表示制御基板ケース３６の基板受け体６１を構成している。即ち、液晶装着ケース３４には、液晶表示制御基板ケース３６の基板受け体６１が一体に設けられている。
【００３３】
液晶表示制御基板ケース３６は、図５，図７等に示すように、液晶表示制御基板３５の裏面側（前面側）に対向する基板受け体６１と、この基板受け体６１の後側に着脱自在に装着され且つ液晶表示制御基板３５の表面側（後面側）を覆う基板カバー６２とで構成されており、これら基板受け体６１と基板カバー６２との間に液晶表示制御基板３５が格納されている。
【００３４】
基板受け体６１には、液晶表示制御基板３５を位置決めするための位置決め突起６３と、液晶表示制御基板３５をネジ止め等により固定するための固定基部６４と、液晶表示制御基板３５の縁部後側に前側から係合する係合爪６５とが後ろ向きに突設されると共に、基板カバー６２の一端側、例えば上端側に設けられた係合突部６６が係合可能な係合受け部６７と、基板カバー６２の他端側、例えば下端側に設けられた固定部６８を固定するための固定基部６９とが設けられている。
【００３５】
なお、固定基部６４は、例えば液晶表示制御基板３５の四隅に対応して設けられ、係合爪６５は、液晶表示制御基板３５の縁部に沿ってそれら固定基部６４の中間部分、例えば上縁側略中央に対応して設けられている。
【００３６】
液晶表示制御基板３５は、液晶表示ユニット１３の表示制御を行う液晶表示制御手段を構成するもので、その外縁部近傍には、基板受け体６１側の位置決め突起６３に対応する位置決め穴７１、基板受け体６１側の固定基部６４に対応する固定穴７２等が設けられている。また、液晶表示制御基板３５の表面側（後面側）には各種電子部品が装着されており、例えば左側下部には、演出制御基板３７側に接続するためのコネクタ７３が、液晶表示制御基板３５の盤面に沿って外向き（左向き）に装着されている。
【００３７】
基板カバー６２は、液晶表示制御基板３５の周囲を取り囲むように配置された周壁７４と、この周壁７４の後端側を閉鎖するように配置された後壁７５とで前側が開放した略矩形箱形に形成されている。
【００３８】
例えば周壁７４を構成する上面板７４ａには、その前縁側に係合突部６６が上向きに突設され、例えば周壁７４を構成する左側面板７４ｂ及び右側面板７４ｃには、その下部前縁側に固定部６８が左右外向きに突設されており、基板カバー６２は、係合突部６６を基板受け体６１側の係合受け部６７に下側から嵌合させた状態で、固定部６８を基板受け体６１側の固定基部６９にネジ等の固定具により固定することにより基板受け体６１側に着脱自在に固定されている。
【００３９】
また、周壁７４には、液晶表示制御基板３５側のコネクタ７３を側方に露出させるためのコネクタ孔７６が、コネクタ７３に対応して例えば左側面板７４ｂの下部側に設けられている。
【００４０】
更に、基板カバー６２の後壁７５には配線溝７９が形成されている。配線溝７９は、例えばフラットケーブルに対応して幅広に形成されており、上面板７４ａ側から下向きに配設された縦溝部７９ａと、この縦溝部７９ａの下端側から左側面板７４ｂまで後壁７５の下縁側に沿って配設された横溝部７９ｂとで構成され、上面板７４ａに縦溝部７９ａの上端側に対応するケーブル引出口８０ａが、左側面板７４ｂに横溝部７９ｂの左端側に対応するケーブル引出口８０ｂが、夫々形成されている。
【００４１】
なお、配線溝７９は、ケーブル引出口８０ａが演出制御基板３７側の後述するコネクタ９９の近傍に、ケーブル引出口８０ｂが液晶表示制御基板３５側のコネクタ７３の近傍に、夫々位置するように配置されている。
【００４２】
更に、基板カバー６２の後壁７５には、演出制御基板ケース３８の一端側、例えば上端側に設けられた係合突部８１が係合可能な係合受け部８２と、演出制御基板ケース３８の他端側、例えば下端側に設けられた固定部８３を固定するための固定基部８４とが設けられている。
【００４３】
演出制御基板ケース３８は、図５，図７等に示すように、演出制御基板３７の裏面側  （前面側）を覆う基板受け体９１と、この基板受け体９１の後側に着脱自在に装着され且つ演出制御基板３７の表面側（後面側）を覆う基板カバー９２とで構成されており、これら基板受け体９１と基板カバー９２との間に演出制御基板３７が格納されている。
【００４４】
基板受け体９１は、底壁９３と、この底壁９３の外縁側を取り囲むように後ろ向きに延設された周壁９４とを一体に備えており、周壁９４の後縁側が演出制御基板３７の外周部近傍に前側から当接するようになっている。
【００４５】
底壁９３には、演出制御基板３７を位置決めするための位置決め突起９５が、例えば周壁９４の内面側に沿って後ろ向きに突設されている。また、周壁９４の後縁側には、演出制御基板３７を基板カバー９２と共にネジ等の固定具により固定するための固定基部９６が一体に設けられている。
【００４６】
演出制御基板３７は、液晶表示ユニット１３を含む各種演出手段の制御を行う演出制御手段を構成するもので、その周辺部には、基板受け体９１側の位置決め突起９５に対応する位置決め穴９７、基板受け体９１側の固定基部９６に対応する固定穴９８等が設けられている。また、演出制御基板３７の表面側（後面側）には各種電子部品が装着されており、例えば上部側には、液晶表示制御基板３５側に接続するためのコネクタ９９が、演出制御基板３７の盤面に沿って外向き（上向き）に装着されている。
【００４７】
基板カバー９２は、基板受け体９１及び演出制御基板３７の外周側を取り囲むように配置された周壁１０１と、この周壁１０１の後端側を閉鎖するように配置された後壁１０２とで前側が開放した略矩形箱形に形成されている。
【００４８】
後壁１０２は、その周辺部分に、演出制御基板３７の表面側（後面側）に当接して保持する基板保持部１０２ａと、演出制御基板３７に設けられた各種電子部品に対応して後側に膨出する膨出部１０２ｂとを備えている。更に、基板保持部１０２ａには、コネクタ９９等を後側に露出させるためのコネクタ孔１０３と、演出制御基板３７側の固定穴９８を介して基板受け体９１側の固定基部９６にネジ等の固定具により固定するための固定部１０４とが設けられており、基板カバー９２は、演出制御基板３７と共に基板受け体９１に対して着脱自在に固定されている。
【００４９】
また、周壁１０１を構成する上面板１０１ａには、その前縁側に係合突部８１が上向きに突設され、例えば周壁１０１を構成する左側面板１０１ｂ及び右側面板１０１ｃには、その下部前縁側に固定部８３が左右外向きに突設されており、演出制御基板ケース３８は、係合突部８１を液晶表示制御基板ケース３６側の係合受け部８２に下側から嵌合させた状態で、固定部８３を液晶表示制御基板ケース３６側の固定基部８４にネジ等の固定具により固定することにより液晶表示制御基板ケース３６の背面側に着脱自在に固定されている。
【００５０】
なお、演出制御基板ケース３８を液晶表示制御基板ケース３６の背面側に装着する際には、液晶表示制御基板３５側のコネクタ７３と演出制御基板３７側のコネクタ９９とを接続するためのフラットケーブル１０５を配線溝７９に沿わせた後、演出制御基板ケース３８が液晶表示制御基板ケース３６に装着される。フラットケーブル１０５のコネクタ７３，９９への接続は、演出制御基板ケース３８を液晶表示制御基板ケース３６に装着する前でも後でもよい。
【００５１】
演出制御基板ケース３８を液晶表示制御基板ケース３６に装着すると、配線溝７９はその後側が基板受け体９１によって略閉鎖され、フラットケーブル１０５の大部分が液晶表示制御基板ケース３６と演出制御基板ケース３８との間に収容された状態となる。
【００５２】
これにより、フラットケーブル１０５の大部分が液晶表示制御基板ケース３６と演出制御基板ケース３８との間に隠れて見映えがよいだけでなく、例えば前面パネル３を開いてメンテナンス等の作業を行う際に引っ掛けてフラットケーブル１０５に傷を付けたり、コネクタ７３，９９等が外れてしまう不具合を極力防止できる。
【００５３】
また、フラットケーブル１０５は、液晶表示制御基板ケース３６に格納される液晶表示制御基板３５と演出制御基板ケース３８に格納される演出制御基板３７とを接続するものであるから、配線溝７９内に隠れている部分の長さだけ余裕ができ、例えば両端側をコネクタに接続したままで演出制御基板ケース３８を液晶表示制御基板ケース３６に対して着脱することも容易である。
【００５４】
しかも、配線溝７９の両端側のケーブル引出口８０ａ，８０ｂを、液晶表示制御基板３５，演出制御基板３７のコネクタ７３，９９に対応する位置に設けているため、フラットケーブル１０５の露出部分を極めて少なくすることができ、見映えがより向上し且つケーブルの保護の点でも万全である。
【００５５】
以上説明したように、本実施形態のスロットマシンでは、表示画面１３ａと透明板３３との間に所定の隙間Ｇを保持する透明板保持枠３２を備えているため、透明板３３に前側から大きな力が加えられた場合でも、その力は隙間Ｇによって緩和されるため、液晶表示ユニット１３への悪影響を最小限に抑えることが可能である。
【００５６】
透明板保持枠３２は、表示画面１３ａと透明板３３との間に配置される隙間保持部４３を透明板３３の外周に沿って連続的に備えた枠型に形成されているため、透明板３３に加えられた力は隙間保持部４３を経て表示画面１３ａの外周部分に略均等に分散しながら伝達されることとなり、液晶表示ユニット１３側への影響を更に緩和できる。
【００５７】
透明板保持枠３２に、透明板３３に係脱自在に係合する係合手段４４を設けているため、透明板３３と透明板保持枠３２とを一体として遊技機に着脱することができ、組立作業等が容易である。
【００５８】
液晶表示ユニット１３は、第２表示窓１２が形成された表示装着枠３１の後側に着脱自在に装着され、透明板３３は、透明板保持枠３２と共に液晶表示ユニット１３と表示装着枠３１との間に挟持されるように構成されているため、透明板３３と液晶表示ユニット１３の表示画面１３ａとの間に隙間Ｇを確実に保持できる。
【００５９】
以上、本発明の実施形態について詳述したが、本発明はこれらの実施形態に限定されるものではなく、本発明の趣旨を逸脱しない範囲で種々の変更が可能である。例えば、透明板保持枠３２は、透明板装着部３９側、液晶表示ユニット１３側、又は液晶装着ケース３４側にネジ止め等により着脱自在に固定するようにしてもよい。
【００６０】
また、例えば透明板保持枠３２を液晶表示ユニット１３側又は液晶装着ケース３４側に固定する場合、透明板３３は透明板装着部３９側に装着してもよい。
【００６１】
透明板保持枠３２は、隙間保持部４３を透明板３３の外周に沿って間欠的に備えた構成としてもよい。
【００６２】
透明板保持枠３２に、厚みの異なる複数種類のスペーサ部材を取付可能に構成してもよい。また、スペーサ部材の少なくとも一部、例えば透明板保持枠３２の隙間保持部４３をゴム等の衝撃吸収部材で形成してもよい。
【００６３】
なお、実施形態ではスロットマシンを例に挙げて説明したが、液晶表示手段等の画像表示手段を搭載した遊技機であれば、パチンコ機等の弾球遊技機を始めその他の各種遊技機にも同様に適用可能であることはいうまでもない。
【図面の簡単な説明】
【００６４】
【図１】本発明の一実施形態に係るスロットマシンの全体斜視図である。
【図２】本発明の一実施形態に係るスロットマシンの全体側面図である。
【図３】前面パネルの裏側の要部斜視図である。
【図４】液晶表示ユニットとその前後の装着部品の分解斜視図である。
【図５】液晶装着ケース、液晶表示制御基板ケース及び演出制御基板ケースの分解斜視図である。
【図６】液晶表示ユニット、液晶装着ケース、透明板及び透明板保持枠の分解斜視図である。
【図７】前面パネルの要部側面断面図である。
【図８】液晶表示ユニットとその前後の装着部品の平面断面図である。
【図９】液晶装着ケースへの液晶表示ユニットの装着状態を示す説明図である。
【符号の説明】
【００６５】
１２    第２表示窓（表示窓）
１３    液晶表示ユニット（画像表示手段）
１３ａ  表示画面
３１    表示装着枠
３２    透明板保持枠（スペーサ部材）
３３    透明板
４３    透明板保持枠の後壁（隙間保持部）
４４    係合手段
Ｇ    隙間
【図１】
2008017910.tif 000003
【図２】
2008017910.tif 000004
【図３】
2008017910.tif 000005
【図４】
2008017910.tif 000006
【図５】
2008017910.tif 000007
【図６】
2008017910.tif 000008
【図７】
2008017910.tif 000009
【図８】
2008017910.tif 000010
【図９】
2008017910.tif 000011